(57)【要約】【課題】  液晶ディスプレイのコントラスト電圧の微調整装置及び方法の提供。【解決手段】  一組のピンのピンコンフィギュレーションにより、オフセット値を決定し、該オフセット値と原設定値の加算器による総和により可変電圧発生器が発生する変調のコントラスト電圧参考値を決定し、これにより一つ或いは複数のコントラスト電圧を発生する。【選択図】        図１
2005134861.tif 000002
【特許請求の範囲】
【請求項１】
ピンコンフィギュレーションを成すように配置されてオフセット値を決定する一組のピンと、該オフセット値と原設定値の総和に基づき変調のコントラスト電圧参考値を発生する可変電圧発生器と、を具えたことを特徴とする、液晶ディスプレイのコントラスト電圧の微調整装置。
【請求項２】
請求項１記載の液晶ディスプレイのコントラスト電圧の微調整装置において、各ピンが複数種類の状態のなかの一種類の状態とされたことを特徴とする、液晶ディスプレイのコントラスト電圧の微調整装置。
【請求項３】
請求項１記載の液晶ディスプレイのコントラスト電圧の微調整装置において、オフセット値を保存するレジスタを具えたことを特徴とする、液晶ディスプレイのコントラスト電圧の微調整装置。
【請求項４】
請求項１記載の液晶ディスプレイのコントラスト電圧の微調整装置において、原設定値とオフセット値の総和を発生する加算器を具えたことを特徴とする、液晶ディスプレイのコントラスト電圧の微調整装置。
【請求項５】
請求項１記載の液晶ディスプレイのコントラスト電圧の微調整装置において、可変電圧発生器が、
電圧を供給する電圧源と、
該電圧に接続され、並びに上記総和により抵抗値を決定してコントラスト電圧参考値を発生する可変抵抗と、
を具えたことを特徴とする、液晶ディスプレイのコントラスト電圧の微調整装置。
【請求項６】
請求項１記載の液晶ディスプレイのコントラスト電圧の微調整装置において、複数のコントラスト電圧を発生する分圧器がコントラスト電圧参考値に接続されたことを特徴とする、液晶ディスプレイのコントラスト電圧の微調整装置。
【請求項７】
請求項１記載の液晶ディスプレイのコントラスト電圧の微調整装置において、各ピンにプルダウン抵抗が接続されたことを特徴とする、液晶ディスプレイのコントラスト電圧の微調整装置。
【請求項８】
請求項１記載の液晶ディスプレイのコントラスト電圧の微調整装置において、各ピンにプルアップ抵抗が接続されたことを特徴とする、液晶ディスプレイのコントラスト電圧の微調整装置。
【請求項９】
請求項１記載の液晶ディスプレイのコントラスト電圧の微調整装置において、各ピンにＭＯＳトランジスタドレイン回路が接続されたことを特徴とする、液晶ディスプレイのコントラスト電圧の微調整装置。
【請求項１０】
請求項３記載の液晶ディスプレイのコントラスト電圧の微調整装置において、上記一組のピンとレジスタの間に、リセット信号の制御を受けてオフセット値をレジスタに送るスイッチが設けられたことを特徴とする、液晶ディスプレイのコントラスト電圧の微調整装置。
【請求項１１】
一組のピンをピンコンフィギュレーションを成すように配置してオフセット値を決定するステップと、
該オフセット値と原設定値の総和に基づき変調のコントラスト電圧参考値を発生するステップと、
を具えたことを特徴とする、液晶ディスプレイのコントラスト電圧の微調整方法。
【請求項１２】
請求項１１に記載の液晶ディスプレイのコントラスト電圧の微調整方法において、オフセット値を決定するステップが、
リセット信号で上記一組のピンとレジスタの間のスイッチを制御するステップと、
該リセット信号を受け取る時、該一組のピンの状態を以て該オフセット値を決定するステップと、
該オフセット値をレジスタに保存するステップと、
を具えたことを特徴とする、液晶ディスプレイのコントラスト電圧の微調整方法。
【請求項１３】
請求項１１に記載の液晶ディスプレイのコントラスト電圧の微調整方法において、変調のコントラスト電圧参考値を発生するステップが、
電源電圧を供給するステップと、
可変抵抗を該電源電圧に接続し、並びに前記総和により抵抗値を決定してコントラスト電圧参考値を発生するステップと、
を具えたことを特徴とする、液晶ディスプレイのコントラスト電圧の微調整方法。
【請求項１４】
請求項１１に記載の液晶ディスプレイのコントラスト電圧の微調整方法において、コントラスト電圧参考値より複数のコントラスト電圧を発生するステップを具えたことを特徴とする、液晶ディスプレイのコントラスト電圧の微調整方法。
【発明の詳細な説明】
【技術分野】
【０００１】
本発明は一種の液晶ディスプレイのコントラスト電圧の微調整装置及び方法に係り、特に、一組のピンコンフィギュレーション（ｐｉｎ  ｃｏｎｆｉｇｕｒａｔｉｏｎ）によりＬＣＤコントラスト電圧を微調整する装置及び方法に関する。
【背景技術】
【０００２】
各ＬＣＤモジュールは出荷前にそのコントラスト電圧が必ず調整され、これにより最適化したコントラストの表示効果を達成する。すなわち、同一バッチ製造されたＬＣＤパネルであっても各パネルに完全に同じ特性表現を具備させることはできないため、ＬＣＤモジュールのコントラスト電圧の微調整作業を一つずつ行なわねばならない。ＬＣＤモジュールのコントラスト強弱を調整する時は、そのモジュール中のコントラスト電圧参考値或いは表示電圧基準値（通常Ｖ０電圧値と称される）を調整し、この電圧値の調整は該モジュール中のレジスタ（通常ＤＶレジスタと称される）の値を更新することにより達成される。一般に、システムメーカーはＬＣＤモジュールの発展プログラムステップで特定の値をＤＶレジスタに選定し、画面に最適化したコントラスト効果を達成させ、さらにプログラムをＬＣＤモジュール中のマイクロコントローラに記録する。しかし、各ＬＣＤパネルにＶ０電圧のオフセットが存在する可能性があり、同じＤＶレジスタの設定値であっても各ＬＣＤモジュールに全て最適化したコントラストを具備させることはできず、このため最終的には各ＬＣＤモジュールに対して微調整を行なわねばならない。この微調整は現在、各一つの未調整のＬＣＤモジュールに対してＤＶレジスタの設定値を更新し、反復して試験と調整を行ない、最適化したコントラストを得た後に、さらに改修後のプログラムを該モジュールに記録することにより達成される。このような一つずつの調整の冗長な過程は面倒であり時間がかかり、製品開発の時間を引き伸ばし、ＬＣＤモジュールの歩留りを下げる。
【０００３】
このためプログラム改修不要で、簡単で快速なＬＣＤコントラスト電圧の微調整装置と方法が求められている。
【発明の開示】
【発明が解決しようとする課題】
【０００４】
本発明の目的の一つは、一種の液晶ディスプレイのコントラスト電圧の微調整装置及び方法を提供することにあり、それは、簡単、快速にＬＣＤのコントラスト電圧を調整できる装置及び方法であるものとする。
【０００５】
本発明のもう一つの目的は、液晶ディスプレイのコントラスト電圧の微調整装置及び方法を提供することにあり、それは、微調整プロセスを簡易化し、ＬＣＤモジュールの歩留りを高められる装置及び方法であるものとする。
【課題を解決するための手段】
【０００６】
請求項１の発明は、ピンコンフィギュレーションを成すように配置されてオフセット値を決定する一組のピンと、該オフセット値と原設定値の総和に基づき変調のコントラスト電圧参考値を発生する可変電圧発生器と、を具えたことを特徴とする、液晶ディスプレイのコントラスト電圧の微調整装置としている。
請求項２の発明は、請求項１記載の液晶ディスプレイのコントラスト電圧の微調整装置において、各ピンが複数種類の状態のなかの一種類の状態とされたことを特徴とする、液晶ディスプレイのコントラスト電圧の微調整装置としている。
請求項３の発明は、請求項１記載の液晶ディスプレイのコントラスト電圧の微調整装置において、オフセット値を保存するレジスタを具えたことを特徴とする、液晶ディスプレイのコントラスト電圧の微調整装置としている。
請求項４の発明は、請求項１記載の液晶ディスプレイのコントラスト電圧の微調整装置において、原設定値とオフセット値の総和を発生する加算器を具えたことを特徴とする、液晶ディスプレイのコントラスト電圧の微調整装置としている。
請求項５の発明は、請求項１記載の液晶ディスプレイのコントラスト電圧の微調整装置において、可変電圧発生器が、
電圧を供給する電圧源と、
該電圧に接続され、並びに上記総和により抵抗値を決定してコントラスト電圧参考値を発生する可変抵抗と、
を具えたことを特徴とする、液晶ディスプレイのコントラスト電圧の微調整装置としている。
請求項６の発明は、請求項１記載の液晶ディスプレイのコントラスト電圧の微調整装置において、複数のコントラスト電圧を発生する分圧器がコントラスト電圧参考値に接続されたことを特徴とする、液晶ディスプレイのコントラスト電圧の微調整装置としている。
請求項７の発明は、請求項１記載の液晶ディスプレイのコントラスト電圧の微調整装置において、各ピンにプルダウン抵抗が接続されたことを特徴とする、液晶ディスプレイのコントラスト電圧の微調整装置としている。
請求項８の発明は、請求項１記載の液晶ディスプレイのコントラスト電圧の微調整装置において、各ピンにプルアップ抵抗が接続されたことを特徴とする、液晶ディスプレイのコントラスト電圧の微調整装置としている。
請求項９の発明は、請求項１記載の液晶ディスプレイのコントラスト電圧の微調整装置において、各ピンにＭＯＳトランジスタドレイン回路が接続されたことを特徴とする、液晶ディスプレイのコントラスト電圧の微調整装置としている。
請求項１０の発明は、請求項３記載の液晶ディスプレイのコントラスト電圧の微調整装置において、上記一組のピンとレジスタの間に、リセット信号の制御を受けてオフセット値をレジスタに送るスイッチが設けられたことを特徴とする、液晶ディスプレイのコントラスト電圧の微調整装置としている。
請求項１１の発明は、一組のピンをピンコンフィギュレーションを成すように配置してオフセット値を決定するステップと、
該オフセット値と原設定値の総和に基づき変調のコントラスト電圧参考値を発生するステップと、
を具えたことを特徴とする、液晶ディスプレイのコントラスト電圧の微調整方法としている。
請求項１２の発明は、請求項１１に記載の液晶ディスプレイのコントラスト電圧の微調整方法において、オフセット値を決定するステップが、
リセット信号で上記一組のピンとレジスタの間のスイッチを制御するステップと、
該リセット信号を受け取る時、該一組のピンの状態を以て該オフセット値を決定するステップと、
該オフセット値をレジスタに保存するステップと、
を具えたことを特徴とする、液晶ディスプレイのコントラスト電圧の微調整方法としている。
請求項１３の発明は、請求項１１に記載の液晶ディスプレイのコントラスト電圧の微調整方法において、変調のコントラスト電圧参考値を発生するステップが、
電源電圧を供給するステップと、
可変抵抗を該電源電圧に接続し、並びに前記総和により抵抗値を決定してコントラスト電圧参考値を発生するステップと、
を具えたことを特徴とする、液晶ディスプレイのコントラスト電圧の微調整方法としている。
請求項１４の発明は、請求項１１に記載の液晶ディスプレイのコントラスト電圧の微調整方法において、コントラスト電圧参考値より複数のコントラスト電圧を発生するステップを具えたことを特徴とする、液晶ディスプレイのコントラスト電圧の微調整方法としている。
【発明の効果】
【０００７】
本発明の液晶ディスプレイのコントラスト電圧の微調整装置及び方法は、簡単、快速にＬＣＤのコントラスト電圧を調整できる装置及び方法である。
本発明の液晶ディスプレイのコントラスト電圧の微調整装置及び方法は、微調整プロセスを簡易化し、ＬＣＤモジュールの歩留りを高められる装置及び方法である。
【発明を実施するための最良の形態】
【０００８】
本発明は一種の液晶ディスプレイのコントラスト電圧の微調整装置及び方法を提供し、それは、一組のピンのピンコンフィギュレーションにより、オフセット値を決定し、該オフセット値と原設定値の加算器による総和により可変電圧発生器が発生する変調のコントラスト電圧参考値を決定し、これにより一つ或いは複数のコントラスト電圧を発生する装置及び方法である。
【実施例１】
【０００９】
図１は本発明の液晶ディスプレイのコントラスト電圧の微調整装置１０のブロック図である。それは、一組のピン１２を具え、該ピン１２が配置されてＬＣＤコントラスト電圧のオフセット値を決定し、且つレジスタ１４に保存し、プレセット回路１３がピン１２に接続されてピン１２の初期状態をプレセットし、各ピン１２が０或いは１の二種類の状態、０、１、或いはフローティングの三種類の状態、或いは多種類の状態に設計されうる。本発明では、各モジュールにあってジャンパを利用してピン１２の状態が決定され、これによりＬＣＤコントラスト電圧のオフセット値が設定され、レジスタ１６がＬＣＤコントラスト電圧の原設定値を保存し、レジスタ１４のオフセット値及びレジスタ１６の原設定値が加算器１７で加算された後に発生する総和がレジスタ１８に保存される。可変抵抗２０及び電圧源２２が可変電圧発生器を構成し、電圧源２２が電圧Ｖｒｅｇを提供し、レジスタ１８が可変抵抗２０の抵抗値を変調し、可変電圧発生器にコントラスト電圧参考値を発生させる。微調整装置１０はさらに分圧器２４を具え、該分圧器２４がコントラスト電圧参考値を分圧してコントラスト電圧Ｖ０〜Ｖ４を発生し、これによりＬＣＤの表示画面を制御する。微調整装置１０が適当なオフセット値を選択することによりＬＣＤのコントラストを最適の状態に調整することができる。
【００１０】
ＬＣＤのコントラストを調整する時は、電圧Ｖ０を調整し、微調整装置１０はレジスタ１８の変調値を設定して電圧Ｖ０を調整し、レジスタ１８の変調値はレジスタ１４のオフセット値及びレジスタ１６の原設定値の総和とされ、ピン１２は全部で４本あり、もし各ピンが二種類の状態を有するとすれば、すなわちレジスタ１８は４ビットの変調値を有し、電圧Ｖ０は選択、出力されうる１６レベルの電圧値を有する。図２はピン１２からレジスタ１４の間の簡単な表示図である。プレセット回路１３はピン１２とレジスタ１４の間に接続され、ピン１２の初期状態をプレセットし、プレセット回路１３とレジスタ１４の間のスイッチ２６がリセット信号に制御され、リセット信号は正或いは負のパルス信号とされ、スイッチ２６がパルス信号を受け取るとスイッチ２６が導通し、反対であれば、スイッチ２６が開く。ピン１２のコンフィギュレーション決定後、スイッチ２６が導通してコンフィギュレーションが決定するオフセット値がレジスタ１４に伝送される。
【００１１】
図３はＬＣＤモジュールの表示図であり、パネル５０とフレキシブルボード５２を具え、フレキシブルボード５２はＬＣＤとその他の設備の間のインタフェースとされる。パネル５０にはドライバ５４が設けられて画素アレイ５６に接続され、ドライバ５４が画素アレイ５６を駆動してＬＣＤに画像を表示させ、ドライバ５４はピンＣＶ１〜ＣＶｎを具え、ジャンパ５８により各ピンの状態が０或いは１に決定される。ジャンパを利用してピン１２のコンフィギュレーションを決定するだけで、ＬＣＤモジュールにあってそのコントラスト電圧を直接調整することができ、プログラムを改修し再度記録する必要がなく、このため最短時間内に、簡単、便利な方式でＬＣＤモジュールの表示画面に最適化コントラストを達成させることができ、且つ歩留りを高めることができる。
【００１２】
図４から図６はプレセット回路１３の表示図である。図４はピンＣＶ１〜ＣＶｎに内部プルダウン抵抗が接続された表示図である。ピンＣＶ１〜ＣＶｎはバス１００に接続され、ピンＣＶ１〜ＣＶｎと接地の間にプルダウン抵抗１０２が接続されて、ピンＣＶ１〜ＣＶｎのフローティングのプレセット状態は０とされる。もしピンＣＶ１〜ＣＶｎのプレセット値が０とされるなら、ＬＣＤコントラスト電圧のオフセット値は０である。もしＬＣＤのコントラスト電圧を微調整する必要があれば、ジャンパを利用してピンＣＶ１〜ＣＶｎを電圧Ｖｄｄに接続し、ピンＣＶ１〜ＣＶｎの状態を１に改変し、これによりＬＣＤのオフセット値を決定する。図５はピンＣＶ１〜ＣＶｎが内部プルアップ抵抗に接続された表示図である。ピンＣＶ１〜ＣＶｎはバス１１０に接続され、ピンＣＶ１〜ＣＶｎ及び電圧Ｖｄｄの間にそれぞれプルアップ抵抗１１２が接続され、ピンＣＶ１〜ＣＶｎのフローティングのプレセット状態が１とされ、ＬＣＤコントラスト電圧のオフセット値が０であることを表示する。もしＬＣＤコントラスト電圧を微調整する必要があるなら、ジャンパを利用しピンＣＶ１〜ＣＶｎを接地し、これによりピンＣＶ１〜ＣＶｎの状態を０に改変し、ＬＣＤのオフセット値を決定する。図６はＭＯＳトランジスタドレイン回路に接続され、ピンＣＶ１〜ＣＶｎはバス１２０に接続され、ピンＣＶ１〜ＣＶｎ及び接地の間にＭＯＳトランジスタ１２２が接続され、ピンＣＶ１〜ＣＶｎがジャンパにより電圧Ｖｄｄに接続されるか或いは接地され、これによりピンＣＶ１〜ＣＶｎの状態が１或いは０とされて、レジスタ１４のオフセット値が改変される。
【００１３】
図７は図４の回路を使用して電圧Ｖ０設定値を決定し、４本のピン１２、すなわちＣＶ１〜ＣＶ４とした実施例であり、ピンＣＶ１〜ＣＶ４の状態がいずれも０とされる時、電圧Ｖ０の設定値は原設定値とされ、ＣＶ１の状態が１で且つＣＶ２〜ＣＶ４の状態がいずれも０とされる時、電圧Ｖ０の設定値は原設定値から原設定値＋１レベルとされ、これによりジャンパを利用してＣＶ１〜ＣＶ４の状態を改変して電圧Ｖ０に対応する設定値を改変し、ピンＣＶ４はコントラスト電圧の設定の増加或いは減少を決定する。
【００１４】
微調整装置が４本のピン、すなわちＣＶ１〜ＣＶ４を有し、且つ内部プルダウン抵抗のプレセット回路１３を使用するなら、この微調整方法はまずハードウエアをリセットし、ＬＣＤドライバを初期化し、さらにテストパターンを校正及び表示し、並びに表示画面のコントラストの程度を観察して最適化を達成し、並びに最適化のコントラストの変調値を記録し、微調整のオフセット値は、
オフセット値＝最適化コントラストの変調値−原設定値    （ＥＱ−１）
により得られ、上記の式ＥＱ−１中のオフセット値の計算結果に基づき対応するＣＶ１〜ＣＶ４値を選択する。
【図面の簡単な説明】
【００１５】
【図１】本発明の液晶ディスプレイのコントラスト電圧の微調整装置のブロック図である。
【図２】本発明のピンからレジスタの間の簡単な表示図である。
【図３】本発明を運用したＬＣＤモジュールの表示図である。
【図４】本発明のプレセット回路の表示図である。
【図５】本発明のプレセット回路の表示図である。
【図６】本発明のプレセット回路の表示図である。
【図７】本発明の図４の回路を利用し電圧Ｖ０を決定する表示図である。
【符号の説明】
【００１６】
１０  微調整装置
１２  ピン
１３  プレセット回路
１４  レジスタ
１６  レジスタ
１７  加算器
１８  レジスタ
２０  可変抵抗
２２  電圧源
２４  分圧器
２６  スイッチ
５０  パネル
５２  フレキシブルボード
５４  ドライバ
５６  画素アレイ
５８  ジャンパ
１００  バス
１０２  プルダウン抵抗
１１０  バス
１１２  プルアップ抵抗
１２０  バス
１２２  ＭＯＳトランジスタ
【図１】
2005134861.tif 000003
【図２】
2005134861.tif 000004
【図３】
2005134861.tif 000005
【図４】
2005134861.tif 000006
【図５】
2005134861.tif 000007
【図６】
2005134861.tif 000008
【図７】
2005134861.tif 000009